(57)【要約】【課題】ウォーターサーバーに吊り下げて装着可能な液体用パウチにおいて、吊り下げ穴への重量負荷に耐えられる、パウチを提供することを課題とする。【解決手段】パウチは、プラスチックフィルムまたはプラスチック被膜を含む、軟素材で構成されており、パウチは、液体を収納可能に製袋され、密閉可能であって、液体の収納部の外方に連続する軟素材には、軟素材を折り重ねた部分に、吊るし穴が１箇所以上設けてあり、この１箇所に重なった吊るし穴は、複数個の吊るし穴が重なって、１箇所に重なった吊るし穴をなすものであって、この１箇所に重なった吊るし穴を、それぞれ吊り下げ具に通して、ウォーターサーバーに装着可能であって、液体の収納部は、パウチ下部においてウォーターサーバーの取水口に取り付け可能であることを特徴とするパウチである。【選択図】図１
2020066451.tif 000002
【特許請求の範囲】
【請求項１】
ウォーターサーバーに装着して用いることが可能なパウチにおいて、
パウチは、プラスチックフィルムまたはプラスチック被膜を含む、軟素材で構成されており、
パウチは、液体を収納可能に製袋され、密閉可能であって、
液体の収納部の外方に連続する軟素材には、軟素材を折り重ねた部分に、１箇所に重なった吊るし穴が１つ以上設けてあり、
この１箇所に重なった吊るし穴は、複数個の吊るし穴が重なって、１箇所に重なった吊るし穴をなすものであって、
この１箇所に重なった吊るし穴を、それぞれ吊り下げ具に通して、ウォーターサーバーに装着可能であって、
液体の収納部は、パウチ下部においてウォーターサーバーの取水口に取り付け可能であることを特徴とするパウチ。
【請求項２】
前記吊るし穴は、軟素材への切込みで形成されていることを特徴とする請求項１に記載のパウチ。
【請求項３】
前記吊るし穴は、１以上の組が線対称の軸を挟んでそれぞれ相対して配置され、線対称の軸を折りたたんで、相対する吊るし穴を重ねて、それぞれ１箇所に重なった吊るし穴を形成していることを特徴とする、請求項１または請求項２に記載のパウチ。
【請求項４】
前記１箇所に重なった吊るし穴の外側は、折り重ねた軟素材全体、もしくは重ねられた吊るし穴の周縁でシールされていることを特徴とする、請求項１〜請求項３のいずれか記載のパウチ。
【請求項５】
前記パウチの、ウォーターサーバーの取水口への取り付けは、パウチ下部にシールされて設けられたスパウトが接続するものであることを特徴とする、請求項１〜請求項４のいずれかに記載のパウチ。
【請求項６】
前記パウチは、液体の収納量が１リットル〜２０リットルであることを特徴とする、請求項１〜請求項５のいずれかに記載のパウチ。
【発明の詳細な説明】
【技術分野】
【０００１】
本発明はパウチに関するものである。特にプラスチックフィルム、あるいはプラスチックの被膜からなる、液体を収納可能なパウチであって、吊り下げた状態でウォーターサーバーに装着可能で、その取水口に接続して、内容物の液体を必要量取り出すことが可能なパウチである。
【背景技術】
【０００２】
近年水への関心が高まっており、例えば天然水やＲＯ水を飲料用にする目的や、乳児用のミルクのための安全な水などを、家庭や店舗で手軽に使うことを目的として、ウォーターサーバーの需要が徐々に増えているといわれる。
【０００３】
多くは天然水やＲＯ水が充填されたボトルをウォーターサーバーに装着して、取水口を介して必要量をくみ出すことができるというものである。その一方では、特許文献１に提案されているように、ボトルを用いるのではなく、軟素材を用いたパウチによる飲料水容器が提案されている。
【０００４】
しかしながら、一般にウォーターサーバーの容器は、例えば１リットル〜２０リットルのものが多く、特に大型のものは、水を充填した場合には重くなるために、たとえばパウチを吊り下げて装着しようとする場合には、パウチの吊り下げに際して吊り下げ穴へ重量が集中して、吊り下げ穴への変形や破断といったダメージのみならず、それに伴う破袋の恐れさえあった。
【０００５】
なお、パウチは内容物として水を充填する場合に限らず、液体であれば水同様に充填して液体容器として用いることが可能である。
【先行技術文献】
【特許文献】
【０００６】
【特許文献１】特許第４６７７５０８号公報
【発明の概要】
【発明が解決しようとする課題】
【０００７】
本発明はかかる状況に鑑みてなされたものであり、ウォーターサーバーに吊り下げて装着可能な液体用パウチにおいて、吊り下げ穴への重量負荷に耐えられる、パウチを提供することを課題とする。
【課題を解決するための手段】
【０００８】
上記の課題を解決するための手段として、請求項１に記載の発明は、
ウォーターサーバーに装着して用いることが可能なパウチにおいて、
パウチは、プラスチックフィルムまたはプラスチック被膜を含む、軟素材で構成されており、
パウチは、液体を収納可能に製袋され、密閉可能であって、
液体の収納部の外方に連続する軟素材には、軟素材を折り重ねた部分に、１箇所に重なった吊るし穴が１つ以上設けてあり、
この１箇所に重なった吊るし穴は、複数個の吊るし穴が重なって、１箇所に重なった吊るし穴をなすものであって、
この１箇所に重なった吊るし穴を、それぞれ吊り下げ具に通して、ウォーターサーバーに装着可能であって、
液体の収納部は、パウチ下部においてウォーターサーバーの取水口に取り付け可能であることを特徴とするパウチである。
【０００９】
また、請求項２に記載の発明は、
前記吊るし穴は、軟素材への切込みで形成されていることを特徴とする請求項１に記載のパウチである。
【００１０】
また、請求項３に記載の発明は、
前記吊るし穴は、１以上の組が線対称の軸を挟んでそれぞれ相対して配置され、線対称の軸を折りたたんで、相対する吊るし穴を重ねて、それぞれ１箇所に重なった吊るし穴を形成していることを特徴とする、請求項１または請求項２に記載のパウチである。
【００１１】
また、請求項４に記載の発明は、
前記１箇所に重なった吊るし穴の外側は、折り重ねた軟素材全体、もしくは重ねられた吊るし穴の周縁でシールされていることを特徴とする、請求項１〜請求項３のいずれか記載のパウチである。
【００１２】
また、請求項５に記載の発明は、
前記パウチの、ウォーターサーバーの取水口への取り付けは、パウチ下部にシールされて設けられたスパウトが接続するものであることを特徴とする、請求項１〜請求項４のいずれかに記載のパウチである。
【００１３】
また、請求項６に記載の発明は、
前記パウチは、液体の収納量が１リットル〜２０リットルであることを特徴とする、請求項１〜請求項５のいずれかに記載のパウチである。
【発明の効果】
【００１４】
本発明によれば、ウォーターサーバーに吊り下げて装着可能な液体用パウチにおいて、吊り下げ穴への重量負荷に耐えられる、パウチを提供することが可能である。これは、軟素材を折り返して、複数個の吊るし穴を重ねて、１箇所に重なった吊るし穴として用いることによる補強効果によるものである。
【００１５】
特に請求項２に記載の発明によれば、吊るし穴が、軟素材への切込みで形成されていることによって、より容易に吊るし穴を形成することが可能である。
【００１６】
また特に請求項３に記載の発明によれば、吊るし穴は、１以上の組が線対称の軸を挟んでそれぞれ相対して配置され、線対称の軸を折りたたんで、相対する吊るし穴を重ねて、それぞれ１箇所に重なった吊るし穴を形成していることから、一回の折りたたみでより効率的に吊るし穴を重ねることが可能になる。
【００１７】
また特に請求項４に記載の発明によれば、１箇所に重なった吊るし穴の外側は、折り重ねた軟素材全体、もしくは重ねられた吊るし穴の周縁でシールされていることによって、吊るし穴への補強効果はより大きなものとなり、吊り下げによる重量負荷によって、吊り下げ穴の変形、破断、パウチの破袋等のおそれをなくすことをより確実にすることができる。
【００１８】
また特に請求項５に記載の発明によれば、パウチの、ウォーターサーバーの取水口への取り付けは、パウチ下部にシールされて設けられたスパウトが接続するものであることによって、ウォーターサーバーの取水口への取り付けをより確実なものとすることができる。
【００１９】
また、突き刺し式など、パウチの底部に穴を開けてウォーターサーバーとの接続を行なう方式に比べて、スパウトおよびキャップによって密閉されたものであれば、パウチそのものはリユースが可能になるため環境適合的であるといえる。
【００２０】
また特に請求項６に記載の発明によれば、パウチの大きさ、が液体の収納量において１リットル〜２０リットルであることによって、一般のウォーターサーバーとの適合性に優れ、汎用性に優れるパウチとすることができる。
【図面の簡単な説明】
【００２１】
【図１】図１は本発明に係る、パウチの一実施態様を説明するための、斜視（透視）模式図である。
【発明を実施するための形態】
【００２２】
以下、本発明を図１を参照しながら、更に詳しい説明を加える。ただし本発明は、ここに示す例にのみ限定されるものではない。本発明は、請求項によって限定されるものである。
【００２３】
図１は本発明に係る、パウチの一実施態様を説明するための、斜視（透視）模式図である。
【００２４】
本発明によるパウチ（１０）は、ウォーターサーバーに装着して用いることが可能なパウチ（１０）であって、プラスチックフィルムまたはプラスチック被膜を含む、軟素材で構成されている。すなわち、プラスチックフィルム単体、あるいはプラスチックフィルムを基材とした積層体、またプラスチックフィルムに限らず、プラスチックを押し出し法などの手法により被膜形成した層を含むものであってもよい。
【００２５】
プラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
【００２６】
特にポリプロピレン、ポリエチレンテレフタレートをプラスチックフィルムとする場合は、フィルム強度と価格においてより好ましい。そのほか延伸ポリアミドフィルムを用いる場合には、積層体に突き刺しに対する強靭性や、衝撃に対する強靭性を付与することができる。
【００２７】
またプラスチックフィルムは、接着剤層を介して他の層と積層して積層体とすることができる。積層体の層構成やその材料構成、厚さなどは、パウチ（１０）に対する要求品質に応じて適宜設計することができる。
【００２８】
したがって本発明において、パウチ（１０）は、液体（５）を収納部（９）に収納可能に製袋され、密閉可能である。密閉は、軟素材をヒートシールなどによってシールして製袋することによって行なわれ、そのほか例えば図１に示す例のように、底部（７）には、液体（５）の注出のためのスパウト（６）を取り付け、キャップ等で密封することも可能である。
【００２９】
液体（５）の注出はパウチ底部（７）とウォーターサーバーの取水口を接続して行なうが、例えば突き刺し式など、パウチ（１０）の底部（７）に穴を開けてウォーターサーバ
ーとの接続を行なう方式に比べて、スパウト（６）およびキャップ等で密封する場合には、パウチ（１０）は再利用が可能であって、より環境適合的でありコスト面でも有利である。
【００３０】
また、例えばヒートシールによるパウチ（１０）の製袋のために、軟素材のパウチ（１０）内側になる面にシーラント層を設けることができる。すなわち、２枚の軟素材をシーラント層同士が対向するように重ねて、加熱、加圧してヒートシールすることによって互いを接着させ、パウチ（１０）に製袋することを可能にする。このとき軟素材は、パウチ（１０）に必要な層を積層した、積層体とすることができる。
【００３１】
シーラント層の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。
【００３２】
シーラント層の形成には、押出機などを用いて溶融した樹脂を製膜して、軟素材上に層形成することができる。あるいは、あらかじめフィルムの状態に製膜してある材料を、ラミネートによって積層することによって、軟素材の表面にシーラント層を形成することも可能である。
【００３３】
また、本発明によるパウチ（１０）には、液体の収納部（９）の外方に連続する軟素材（１）には、の吊るし穴（３）が設けてある。この吊るし穴（３）を重ねて、１箇所に重なった吊るし穴として、ウォーターサーバーの吊り下げ具（８）に通して、パウチ（１０）を吊るしてウォーターサーバーに装着することができる。
【００３４】
この液体の収納部（９）の外方に連続する軟素材（１）には、たとえばパウチ（１０）を製袋する際のシール部の延長を当てることができる。また、液体の収納部（９）の形態は特段の制約を設けるものではなく、４方パウチ、ピロー型など任意である。
【００３５】
ここで吊り下げ具（８）は図１に示す例においては、フック形状であるが、水平方向に延びるバー形状でも吊り下げ具（８）として使用することができる。
【００３６】
本発明において、この吊り下げに際しては、パウチ（１０）は収納部（９）の外方に連続する軟素材を折り返して、複数個の吊るし穴（３）が重なった状態の、１箇所に重なった吊るし穴として、吊り下げ具（８）に通して、ウォーターサーバーに装着する。
【００３７】
図１に示す例において、吊るし穴（３）は４個である。この４個の吊るし穴（３）を折り線（２）で矢印（４）方向に折りたたみ、折り線（２）を挟んで相対する吊るし穴（３）を重ねて、１箇所に重なった吊るし穴として、２箇所に形成することができる。
【００３８】
このように吊るし穴（３）を重ねて１箇所に重なった吊るし穴とすることにより、ウォーターサーバーの吊り下げ具（８）に通して、ウォーターサーバーに装着する際には、吊るし穴（３）が補強されて強度が増し、吊るし穴（３）の変形やそれに伴う切断、パウチ（１０）の破袋などのおそれをなくすことができる。
【００３９】
パウチ（１０）の収納部（９）の外方に連続する軟素材部分は、パウチ（１０）製袋時
のシール部分を延長して用いる場合には、シール部分はすでに、２枚の材料が合わさった状態になっているため強度の点では、好ましく、さらに本発明によるパウチ（１０）は、この部分を折り重ねて用いるために、パウチ（１０）吊り下げの重力負荷への補強の効果においては一層好ましい。
【００４０】
吊るし穴（３）の形状は、図１に示す例のような円形でも良く、たとえば楕円形や多角形など円形以外の形状でもよい。あるいは軟素材への切込みで形成されているのでもよい。
【００４１】
また、図１に示す吊るし穴（３）の配置は、４個の吊るし穴（３）が、線対称の軸を挟んで相対して配置され、線対称の軸を折り線（２）として折りたたんで、相対する吊るし穴（３）が重ねられ、１箇所に重なった吊るし穴として、計２箇所の吊るし穴を形成する例であって、一度の折りたたみでよく、吊るし穴の重ね合わせに利便性があり好適である。
【００４２】
それ以外でも、ウォーターサーバーの吊るし具（８）の配置に合致する範囲において、吊るし穴（３）がそれぞれに重なり合って、１箇所に重なった吊るし穴を１以上形成するのであれば、線対称以外で配置されているのでもよい。
【００４３】
また、１箇所に重なった吊るし穴の外側は、折り重ねた軟素材全体、もしくは重ねられた吊るし穴の周縁でシールされている状態とすることができる。この状態は、予め軟素材に設けられた吊るし穴（３）を重ねて１箇所に重なった吊るし穴を形成して後、折り重ねた軟素材全体、もしくは１箇所に重なった吊るし穴の周縁をシールすることによって形成可能である。
【００４４】
あるいは、折り重ねた部分の軟素材全体、もしくは１箇所に重なった吊るし穴の配置予定部分を予めシールしておき、その後貫通する穴を開けて、１箇所に重なった吊るし穴を必要個数形成するのでもよい。いずれの場合においても、シール部分があるために、吊るし穴（３）の補強効果はより大きいものとなる。
【００４５】
また、図１に示す例において、パウチ（１０）の底部（７）にスパウト（６）が設けられ、液体ウォーターサーバーの取水口に、スパウト（６）を接続して取り付け可能な例である。このときスパウト（６）の取り付けは、パウチ（１０）の底部（７）にシールして取り付けることができる。
【００４６】
また本発明において、パウチ（１０）の大きさ、すなわち収納部（９）の容量は、液体（５）の収納量が１リットル〜２０リットルとすることができ、この場合には一般的なウォーターサーバーに合致した大きさであり、汎用性がより広く、また利便性において優れる。
【００４７】
このように、本発明によれば、ウォーターサーバーに吊り下げて装着可能な液体用パウチにおいて、吊り下げによる重量負荷に耐えられる、パウチを提供することが可能である。
【符号の説明】
【００４８】
１・・・外方に連続する軟素材
２・・・折り線
３・・・吊るし穴
４・・・矢印
５・・・液体
６・・・スパウト
７・・・底部
８・・・吊り下げ具
９・・・収納部
１０・・・パウチ
【図１】
2020066451.tif 000003